(57)【特許請求の範囲】
【請求項１】
パケットを受信する無線受信部と、
前記無線受信部が受信したパケットの長さが所定のセル長か前記セル長よりも長いかに基づいて、当該パケットが、低優先パケットの分割されたセルか、高優先パケットかを判定する信号識別部と、
前記信号識別部が低優先パケットと判定したパケットに基づいて、セルへの分割前のパケットを復元するパケット組立処理部と、
前記高優先パケットと、前記パケット組立処理部が復元したパケットとを出力するパケット出力部と、
を具備することを特徴とする無線伝送装置。
【請求項２】
前記無線受信部は、適応変調にて送信されたパケットを受信する、請求項１に記載の無線伝送装置。
【請求項３】
パケットを無線送信する第１無線伝送装置と、
前記第１無線伝送装置が送信したパケットを受信する第２無線伝送装置とを具備し、
前記第１無線伝送装置は、
パケットを取得するパケット取得部と、
前記パケット取得部が取得したパケットの優先度を識別して高優先パケットと低優先パケットとに分類する優先度識別部と、
使用可能な複数の無線伝送リンクのうち、前記高優先パケットを送信する無線伝送リンクを選択する高優先パケット分配処理部と、
前記低優先パケットを、固定長のパケットであるセルに分割し、前記使用可能な複数の無線伝送リンクのうち、各セルを送信する無線伝送リンクを選択するセル化処理部と、  前記高優先パケット分配処理部が決定した前記無線伝送リンクにて前記高優先パケットを無線送信し、前記セル化処理部が決定した前記無線伝送リンクにて前記セルを無線送信する無線送信部と、
を具備し、
前記第２無線伝送装置は、
パケットを受信する無線受信部と、
前記無線受信部が受信したパケットの長さが所定のセル長か前記セル長よりも長いかに基づいて、当該パケットが、低優先パケットの分割されたセルか、高優先パケットかを判定する信号識別部と、
前記信号識別部が低優先パケットと判定したパケットに基づいて、セルへの分割前のパケットを復元するパケット組立処理部と、
前記高優先パケットと、前記パケット組立処理部が復元したパケットとを出力するパケット出力部と、
を具備することを特徴とする無線伝送システム。
【請求項４】
無線伝送装置の受信方法であって、
パケットを受信する無線受信ステップと、
前記無線受信ステップで受信したパケットの長さが所定のセル長か前記セル長よりも長いかに基づいて、当該パケットが、低優先パケットの分割されたセルか、高優先パケットかを判定する信号識別ステップと、
前記信号識別ステップで低優先パケットと判定したパケットに基づいて、セルへの分割前のパケットを復元するパケット組立処理ステップと、
前記高優先パケット、または、前記パケット組立処理ステップで復元したパケットの少なくともいずれかを出力するパケット出力ステップと、
を具備することを特徴とする受信方法。
【請求項５】
無線伝送装置を制御するコンピュータに、
パケットを受信する無線受信ステップと、
前記無線受信ステップで受信したパケットの長さが所定のセル長か前記セル長よりも長いかに基づいて、当該パケットが、低優先パケットの分割されたセルか、高優先パケットかを判定する信号識別ステップと、
前記信号識別ステップで低優先パケットと判定したパケットに基づいて、セルへの分割前のパケットを復元するパケット組立処理ステップと、
前記高優先パケット、または、前記パケット組立処理ステップで復元したパケットの少なくともいずれかを出力するパケット出力ステップと、
を実行させるためのプログラム。
【発明の詳細な説明】
【技術分野】
【０００１】
本発明は、無線伝送装置、無線伝送システム、受信方法およびプログラムに関する。
本願は、２０１２年１月２３日に出願された特願２０１２−０１０９０３号に基づき優先権を主張し、その内容をここに援用する。
【背景技術】
【０００２】
無線伝送システムは、伝送装置間に固定のケーブルなどを付設する必要がなく通信を行うことができるシステムである。また、無線伝送システムにおいて、２５６ＱＡＭ（Quadrature Amplitude Modulation、直交振幅変調）や５１２ＱＡＭのように無線信号を多値化した変調方式を用いて、伝送レートを向上させた通信を行うことが可能である。
しかしながら、固定のケーブルを介した有線伝送システムと比べて、無線伝送システムでは大気中などの空間に無線信号を伝搬させて通信を行うため、無線伝送路における様々な要因の影響を受けて通信品質が劣化する。そのため、誤り訂正符号を用いるなど膨大なオーバヘッドが必要となり、通信速度が低下してしまう。
そこで、複数の無線リンクを用いて通信を行うことで通信速度を確保する技術が提案されている。【０００３】
例えば、特許文献１に記載の伝送システムは、複数の無線リンクでマルチリンク化された無線区間で伝送される無線フレームをデータリンク層で無線リンク毎に多重分離する無線装置を備える。
アグリゲーションスイッチは、外部のネットワークで使用されるネットワークフレームをＭＲＬ（Multi-Radio-Link）フレームに組み立て直し、無線リンク毎にＭＲＬフレームを振り分けるとともに、無線リンク毎のＭＲＬフレームを集約してネットワークフレームに組み立て直す。無線エントランス部は、アグリゲーションスイッチで振り分けられたＭＲＬフレームを無線フレームに変換して無線区間の無線リンク毎に送信し、無線区間の無線リンク毎に無線フレームを受信し、ＭＲＬフレームに変換してアグリゲーションスイッチに出力する。
これにより、リンク状況の変動に即応でき、且つ負荷分散効果の高いリンク制御ができるとされている。
【先行技術文献】
【特許文献】
【０００４】
【特許文献１】特開２０１０−２５８６０６号公報
【発明の概要】
【発明が解決しようとする課題】
【０００５】
しかしながら、特許文献１に記載の伝送システムにおいて、リンク状況が悪化して無線リンクの伝送容量が減少すると、通信速度が低下してしまう。また、特許文献１に記載の伝送システムでは、フレーム変換に時間を要する。これらの影響で、特許文献１に記載の伝送システムでは、高速通信の要求に応えられないおそれがある。【０００６】
本発明は、上述の課題を解決することのできる無線伝送装置、無線伝送システム、受信方法およびプログラムを提供することを目的としている。
【課題を解決するための手段】
【０００８】
この発明は上述した課題を解決するためになされたもので、本発明の一態様による無線伝送装置は、パケットを受信する無線受信部と、前記無線受信部が受信したパケットの長さが所定のセル長か前記セル長よりも長いかに基づいて、当該パケットが、低優先パケットの分割されたセルか、高優先パケットかを判定する信号識別部と、前記信号識別部が低優先パケットと判定したパケットに基づいて、セルへの分割前のパケットを復元するパケット組立処理部と、前記高優先パケットと、前記パケット組立処理部が復元したパケットとを出力するパケット出力部と、を具備することを特徴とする。
【０００９】
また、本発明の一態様による無線伝送システムは、パケットを無線送信する第１無線伝送装置と、前記第１無線伝送装置が送信したパケットを受信する第２無線伝送装置とを具備し、前記第１無線伝送装置は、パケットを取得するパケット取得部と、前記パケット取得部が取得したパケットの優先度を識別して高優先パケットと低優先パケットとに分類する優先度識別部と、使用可能な複数の無線伝送リンクのうち、前記高優先パケットを送信する無線伝送リンクを選択する高優先パケット分配処理部と、前記低優先パケットを、固定長のパケットであるセルに分割し、前記使用可能な複数の無線伝送リンクのうち、各セルを送信する無線伝送リンクを選択するセル化処理部と、前記高優先パケット分配処理部が決定した前記無線伝送リンクにて前記高優先パケットを無線送信し、前記セル化処理部が決定した前記無線伝送リンクにて前記セルを無線送信する無線送信部と、を具備し、前記第２無線伝送装置は、パケットを受信する無線受信部と、前記無線受信部が受信したパケットの長さが所定のセル長か前記セル長よりも長いかに基づいて、当該パケットが、低優先パケットの分割されたセルか、高優先パケットかを判定する信号識別部と、前記信号識別部が低優先パケットと判定したパケットに基づいて、セルへの分割前のパケットを復元するパケット組立処理部と、前記高優先パケットと、前記パケット組立処理部が復元したパケットとを出力するパケット出力部と、を具備することを特徴とする。
【００１１】
また、本発明の一態様による受信方法は、無線伝送装置の受信方法であって、パケットを受信する無線受信ステップと、前記無線受信ステップで受信したパケットの長さが所定のセル長か前記セル長よりも長いかに基づいて、当該パケットが、低優先パケットの分割されたセルか、高優先パケットかを判定する信号識別ステップと、前記信号識別ステップで低優先パケットと判定したパケットに基づいて、セルへの分割前のパケットを復元するパケット組立処理ステップと、前記高優先パケット、または、前記パケット組立処理ステップで復元したパケットの少なくともいずれかを出力するパケット出力ステップと、を具備することを特徴とする。
【００１３】
また、本発明の一態様によるプログラムは、無線伝送装置を制御するコンピュータに、パケットを受信する無線受信ステップと、前記無線受信ステップで受信したパケットの長さが所定のセル長か前記セル長よりも長いかに基づいて、当該パケットが、低優先パケットの分割されたセルか、高優先パケットかを判定する信号識別ステップと、前記信号識別ステップで低優先パケットと判定したパケットに基づいて、セルへの分割前のパケットを復元するパケット組立処理ステップと、前記高優先パケット、または、前記パケット組立処理ステップで復元したパケットの少なくともいずれかを出力するパケット出力ステップと、を実行させるためのプログラムである。
【発明の効果】
【００１４】
本発明によれば、帯域を効率よく利用することができ、かつ、高速通信の要求を、より満足させることができる。
【図面の簡単な説明】
【００１５】
【図１】本発明の一実施形態における無線伝送システムの機能構成を示す概略ブロック図である。
【図２】同実施形態において、無線伝送装置が、送信するパケットに対して行う処理の手順を示すフローチャートである。
【図３】同実施形態において、無線伝送装置が、受信したパケットに対して行う処理の手順を示すフローチャートである。
【図４】同実施形態の無線伝送装置における本発明の最小構成を示す概略ブロック図である。
【図５】同実施形態の無線伝送装置における本発明の最小構成を示す概略ブロック図である。
【発明を実施するための形態】
【００１６】
以下、図面を参照して、本発明の実施の形態について説明する。
図１は、本発明の一実施形態における無線伝送システムの機能構成を示す概略ブロック図である。同図において、無線伝送システム１は、無線伝送装置（第１無線伝送装置）１００と、無線伝送装置（第２無線伝送装置）２００とを具備する。
無線伝送装置１００は、入出力ポート（パケット取得部）１１１〜１１３と、パケット転送処理部１２０と、リンクアグリゲーション制御部１３０と、無線信号処理部（無線送信部）１４１〜１４３と、アンテナ１５１〜１５３とを具備する。
リンクアグリゲーション制御部１３０は、優先度識別部１３１と、高優先パケット分配処理部１３２と、セル化処理部１３３と、帯域計算部１３４と、信号識別部１３５と、パケット組立処理部１３６と、無線帯域制御部１３７とを具備する。
無線伝送装置２００は、入出力ポート（パケット出力部）２１１〜２１３と、パケット転送処理部２２０と、リンクアグリゲーション制御部２３０と、無線信号処理部（無線受信部）２４１〜２４３と、アンテナ２５１〜２５３とを具備する。
リンクアグリゲーション制御部２３０は、優先度識別部２３１と、高優先パケット分配処理部２３２と、セル化処理部２３３と、帯域計算部２３４と、信号識別部２３５と、パケット組立処理部２３６と、無線帯域制御部２３７とを具備する。
なお、同図において、データ信号の経路を実線で示し、制御信号の経路を破線で示し、無線回線を１点鎖線で示している。
【００１７】
無線伝送装置１００と２００とは、無線伝送リンクＬ１〜Ｌ３を介して通信を行う。ここで、無線伝送リンクとは、無線による通信回線である。これら無線伝送リンクＬ１〜Ｌ３は、リンクアグリゲーショングループ（Link Aggregation Group；ＬＡＧ）Ｇ１を構成する。
ここで、リンクアグリゲーションとは、ＩＥＥＥ８０２．３ａｄで規定されているリンクアグリゲーションのように、複数の回線を仮想的に１つにまとめて、１つの仮想的な回線として扱う技術である。例えば１００Ｍｂｐｓの物理リンクを５本束ねて５００Ｍｂｐｓの仮想リンクとして使用できる。
ただし、無線伝送システム１は、ＩＥＥＥ８０２．３ａｄで規定されているリンクアグリゲーションと異なり、無線伝送リンクに対してリンクアグリゲーションを行う。
また、リンクアグリゲーショングループとは、リンクアグリゲーションにて得られた仮想的な回線である。
【００１８】
なお、無線伝送装置１００および２００が具備する入出力ポートの数は、図１に示す３つに限らず、１つ以上であればよい。
また、無線伝送装置１００が具備する入出力ポートの数と、無線伝送装置２００が具備する入出力ポートの数とが異なっていてもよい。
【００１９】
また、無線伝送装置１００および２００が具備する無線信号処理部やアンテナの構成は、同図に示す構成に限らず、無線伝送装置１００と２００との間に２つ以上の無線回線を得られる構成であればよい。従って、無線伝送装置１００および２００が具備する無線信号処理部やアンテナの数は、２つ以上であればよい。また、無線伝送装置１００や２００が具備する無線信号処理部やアンテナの数は、入出力ポートの数と異なっていてもよい。
また、ＭＩＭＯ（Multiple Input Multiple Output）の場合など、無線伝送装置１００が具備する無線信号処理部やアンテナの数と、無線伝送装置２００が具備する無線信号処理部やアンテナの数とが異なっていてもよい。
また、リンクアグリゲーショングループＧ１に属する無線伝送リンクの数は、同図に示す３つに限らず、無線伝送装置１００と２００との間の無線回線の数と同じまたはそれ以下であればよい。
【００２０】
無線伝送システム１は、パケットの無線伝送を行う。例えば、無線伝送装置１００と無線伝送装置２００とが、それぞれ異なる通信ネットワークに接続されており、無線伝送システム１は、無線伝送装置１００と無線伝送装置２００との間でパケットを無線通信することで、通信ネットワーク間のパケット伝送を行う。
【００２１】
なお、本実施形態では、無線伝送装置１００の構成と無線伝送装置２００の構成とは同一である。そこで、以下では、無線伝送装置１００の構成について説明し、無線伝送装置２００については説明を省略する。
ただし、無線伝送装置１００の構成と無線伝送装置２００の構成とは異なっていてもよい。例えば、無線伝送装置１００が送信専用の無線伝送装置であり、無線伝送装置２００が受信専用の無線伝送装置であってもよい。あるいは、無線伝送装置１００から無線伝送装置２００への伝送に本発明を適用し、無線伝送装置２００から無線伝送装置１００へは、他の方式にて伝送を行うようにしてもよい。
【００２２】
入出力ポート１１１〜１１３は、パケットの取得（受信）や、パケットの出力（送信）を行う。例えば、入出力ポート１１１〜１１３は、ＬＡＮ（Local Area Network）またはインターネット（Internet）等の通信ネットワークに接続されて、当該通信ネットワークに接続された機器との間でパケットを送受信する。
【００２３】
入出力ポート１１１〜１１３は、受信したパケットをパケット転送処理部１２０に出力し、また、パケット転送処理部１２０から出力されたパケットを送信する。特に、入出力ポート１１１〜１１３は、高優先パケットと、パケット組立処理部１３６が復元したパケットとを出力する。
ここで、無線伝送システム１は、伝送対象のパケットを高優先パケットと低優先パケットとに分類し、高優先パケットを優先的に伝送する。後述するように、パケット組立処理部１３６が復元するパケットは、セルに分割されて無線送信された低優先パケットである。
【００２４】
パケット転送処理部１２０は、入出力ポート１１１〜１１３から出力されたパケットをリンクアグリゲーション制御部１３０（優先度識別部１３１）に出力する。
また、パケット転送処理部１２０は、リンクアグリゲーション制御部１３０（信号識別部１３５またはパケット組立処理部１３６）から出力されたパケットを、入出力ポート１１１〜１１３のいずれかに出力する。例えば、パケット転送処理部１２０は、当該パケットの宛先情報に従って入出力ポート１１１〜１１３のいずれかを選択し、選択したポートに当該パケットを出力する。
あるいは、無線伝送システム１がＱｏＳ（Quality Of Service）制御を行う場合、パケット転送処理部１２０は、パケットの宛先情報に加えてＱｏＳ情報（例えば、ＣｏＳ（Class Of Service）値）に基づいて、入出力ポート１１１〜１１３のいずれかを選択し、選択したポートに当該パケットを出力する。
【００２５】
リンクアグリゲーション制御部１３０は、無線信号処理部１４１〜１４３を制御してパケットの送受信を行わせる。
優先度識別部１３１は、入出力ポート１１１〜１１３が取得したパケット（パケット転送処理部１２０から出力されたパケット）の優先度を識別して高優先パケットと低優先パケットとに分類する。
【００２６】
具体的には、優先度識別部１３１は、パケットのヘッダ情報から当該パケットの優先度を解析する。
例えば、優先度識別部１３１は、タグＶＬＡＮ（tagged Virtual Local Area Network（仮想ＬＡＮ））におけるＶＬＡＮタグのＣｏＳ（Class of Service）値や、ＩＰｖ４（Internet Protocol Version 4）またはＩＰｖ６（Internet Protocol Version 6）のＤＳＣＰ（Differentiated Services Code Point）値などに基づいてパケットの分類を行う。
さらに例えば、パケットのＣｏＳ値として０から７の値が規定されており、優先度識別部１３１は、ＣｏＳ値が６または７のパケットを高優先パケットに分類し、ＣｏＳ値が０〜５のパケットを低優先パケットに設定する。
なお、高優先パケットと低優先パケットとの分類基準を、無線伝送システム１の管理者が自由に設定（変更）できるようにしてもよい。
【００２７】
高優先パケット分配処理部１３２は、使用可能な複数の無線伝送リンク（無線伝送リンク）のうち、高優先パケットを送信する無線伝送リンクを選択する。
ここで、高優先パケット分配処理部１３２は、パケットのヘッダフィールド（ＭＡＣアドレス（Media Access Control Address）、ＶＬＡＮタグまたはＩＰアドレスなど）の値にハッシュ関数を適用するなど、何らかの計算アルゴリズムに従って無線伝送リンクを選択する。
【００２８】
なお、高優先パケット分配処理部１３２が、高優先パケットを送信する無線伝送リンクとして、無線伝送リンクＬ１〜Ｌ３のうち、最も状態のよい（例えば、受信信号レベルが最も高い）無線伝送リンクを選択するようにしてもよい。
無線信号処理部１４１〜１４３が、適応変調（ＡＭＲ：Adaptive Modulation Radio）を用いて通信を行う場合、高優先パケット分配処理部１３２が、最も状態のよい無線伝送リンクを選択することで、伝送速度の速い無線伝送リンクを選択することができる。従って、無線伝送システム１は、当該パケット（高優先パケット）を、より高速に伝送することができる。
【００２９】
また、無線信号処理部１４１〜１４３が、適応変調を用いずに通信を行う場合、高優先パケット分配処理部１３２が、最も状態のよい無線伝送リンクを選択することで、無線伝送システム１は、当該パケットの通信誤りを低減させることができる。従って、無線伝送システム１は、当該パケット（高優先パケット）を、より正確に伝送することができる。
また、伝送誤りを低減することで再送信を抑制できるので、無線伝送システム１は、当該パケット（高優先パケット）を、より高速に伝送することができる。
【００３０】
無線帯域制御部１３７は、無線信号処理部１４１〜１４３が測定する受信信号レベルに基づいて、無線信号処理部１４１〜１４３の適応変調を制御する。
具体的には、無線帯域制御部１３７は、無線信号処理部１４１〜１４３の各々について、当該無線信号処理部における受信信号レベルに基づいて変調方式を決定し、決定した変調方式にて通信を行うよう、当該無線信号処理部に指示する（制御信号を出力する）。また、無線帯域制御部１３７は、無線信号処理部１４１〜１４３の各々について決定した変調方式を示す制御信号を、帯域計算部１３４にも出力する。
【００３１】
帯域計算部１３４は、無線帯域制御部１３７からの制御信号に基づいて、無線信号処理部１４１〜１４３の各々における（従って、無線伝送リンクＬ１〜Ｌ３の各々における）通信速度（単位時間あたりに通信可能な容量という意味での帯域）を計算し、得られた通信速度情報を、セル化処理部１３３に出力する。
【００３２】
セル化処理部１３３は、低優先パケットをセルに分割する。ここで、セルとは、固定長のパケットである。なお、セル長（セルの固定長として設定されている長さ）は、例えば無線伝送リンクの管理者が任意に設定できるようにする。
低優先パケットをセルに分割する際、セル化処理部１３３は、セルから元のパケットを再現する際に必要な情報としてシーケンス番号のついたヘッダを付与する。
また、セル化処理部１３３は、先頭のセル（分割前の通信データの先頭部分を積載しているセル）のヘッダに、先頭であることを示す識別子を含める。また、セル化処理部１３３は、最後尾のセル（分割前の通信データの末尾部分を積載しているセル）のヘッダに、最後尾であることを示す識別子を含める。
【００３３】
また、セル化処理部１３３は、無線伝送リンクＬ１〜Ｌ３のうち、各セルを送信する無線伝送リンクを選択する。
例えば、セル化処理部１３３は、セルを送信する無線伝送リンクを、帯域計算部１３４が算出する各無線伝送リンクの通信速度に応じて選択する（セルを分配する）。さらに例えば、無線伝送リンクＬ１、Ｌ２、Ｌ３の通信速度が、それぞれ、３０メガビット毎秒（Ｍｂｐｓ）、１０メガビット毎秒、２０メガビット毎秒であった場合、セル化処理部１３３は、それぞれのリンクに対してセルを３：１：２の割合で分配する。
【００３４】
信号識別部１３５は、無線信号処理部１４１〜１４３が受信したパケットが、高優先パケットか、低優先パケットの分割されたセルかを判定する。
例えば、高優先パケット送信の際、高優先パケット分配処理部１３２が、当該高優先パケットのヘッダに、高優先パケットであることを示す識別情報を挿入しておく。また、セル送信の際、セル化処理部１３３が、当該パケット（セル）のヘッダに、セルであることを示す識別情報を挿入しておく。
そして、信号識別部１３５は、いずれの識別情報が挿入されているかを判定することで、高優先パケットかセルかの判定を行う。
【００３５】
あるいは、信号識別部１３５が、無線信号処理部１４１〜１４３が受信したパケットの長さ（データサイズ）が、セル長か、あるいはそれよりも長いかに基づいて高優先パケットかセルかを判定するなど、識別情報以外の基準を用いて判定を行うようにしてもよい。
無線信号処理部１４１〜１４３の受信したパケットが高優先パケットであると判定した場合、信号識別部１３５は、当該パケットをパケット転送処理部１２０に出力する。一方、セルであると判定した場合、信号識別部１３５は、当該パケットをパケット組立処理部１３６に出力する。
【００３６】
パケット組立処理部１３６は、信号識別部１３５が低優先パケットと判定したパケットに基づいて、セルへの分割前のパケット（のペイロードのデータ）を復元する。
具体的には、パケット組立処理部２３６は、信号識別部２３５からのセルをバッファに一旦格納し、セルに付与されているヘッダ情報に基づいて、分割前のパケットを復元する。さらに具体的には、パケット組立処理部２３６は、ヘッダに含まれるシーケンス番号に従って、セルの元の順序が入れ替わらないように復元を行う。
【００３７】
なお、パケット組立処理部２３６が、無線伝送リンクそれぞれの伝送遅延に基づいてパケットの復元を行うようにしてもよい。
例えば、無線帯域制御部２３７が、勧告ＩＴＵ−Ｔ  Ｙ．１７３１で規定されているEthernet OAM（ここで、Ethernet（登録商標））の機能の１つである遅延計測機能（ＥＴＨ−ＤＭ（Delay Measurement）機能）と同様に、無線伝送リンクそれぞれの伝送遅延を測定する。そして、パケット組立処理部２３６は、遅延の最も大きい無線伝送リンクに応じて、他の無線伝送リンクで受信したセルをバッファにて待たせた後にパケットの復元を行う。
【００３８】
無線信号処理部１４１〜１４３は、高優先パケット分配処理部１３２が決定した無線伝送リンクにて高優先パケットを無線送信し、セル化処理部１３３が決定した無線伝送リンクにてセルを無線送信する。
具体的には、無線信号処理部１４１〜１４３は、高優先パケット分配処理部１３２またはセル化処理部１３３からのパケット（高優先パケットまたはセル）に対して、誤り訂正符号化や変調などの処理を行ってアナログ信号に変換する。
そして、無線信号処理部１４１〜１４３は、当該アナログ信号に変換されたパケットを、アンテナ１５１〜１５３から無線送信する。ここで、無線信号処理部１４１〜１４３は、無線帯域制御部１３７の制御に従って、適応変調にてパケットの無線送信を行う。
【００３９】
また、無線信号処理部１４１〜１４３は、パケットを受信する。
具体的には、無線信号処理部１４１〜１４３は、無線信号として送信されたパケットを、アンテナ１５１〜１５３にて受信する。そして、無線信号処理部１４１〜１４３は、受信した無線信号に対して復調や誤り訂正などの処理を行って、デジタルデータとしてのパケットに変換する。そして、無線信号処理部１４１〜１４３は、当該デジタルデータとしてのパケットを、信号識別部１３５に出力する。
また、無線信号処理部１４１〜１４３は、アンテナ１５１〜１５３での受信信号レベルを測定し、測定結果を無線帯域制御部１３７に出力する。
【００４０】
アンテナ１５１〜１５３は、無線信号処理部１４１〜１４３が無線信号化したパケットを、無線伝送リンクを介して無線伝送装置２００（アンテナ２５１〜２５３）に送信する。
また、アンテナ１５１〜１５３は、無線伝送装置２００（アンテナ２５１〜２５３）からの信号を、無線伝送リンクを介して受信して無線信号処理部１４１〜１４３に出力する。
【００４１】
なお、無線伝送システム１におけるリンクアグリゲーションの適用の有無を切替可能としてもよい。あるいは、無線伝送システム１が、リンクアグリゲーションされた無線伝送リンクと、リンクアグリゲーションされていない無線伝送リンクとを併用するようにしてもよい。
例えば、無線伝送システム１の管理者が、リンクアグリゲーションの適用の有無を設定し、当該設定に応じてパケット転送処理部１２０および無線信号処理部１４１〜１４３が動作を切り替える。
リンクアグリゲーションの適用無しに設定されている場合、パケット転送処理部１２０は、入出力ポート１１１〜１１３からのパケットを、リンクアグリゲーション制御部１３０を経由せずに直接、無線信号処理部１４１〜１４３に出力（転送）する。また、リンクアグリゲーションの適用無しに設定されている場合、無線信号処理部１４１〜１４３は、受信したパケットを、リンクアグリゲーション制御部１３０を経由せずに直接、パケット転送処理部１２０に出力する。
【００４２】
なお、リンクアグリゲーションの適用の有無を切替可能な場合、パケット転送処理部１２０は、入出力ポート１１１〜１１３からのパケットの出力先を解析する。そして、パケット転送処理部１２０は、出力先がリンクアグリゲーショングループを構成する無線伝送リンクであると判定した場合に、当該パケットを優先度識別部１３１に出力する。そして、以下、無線伝送装置１００は、図２に示す手順で処理を行う。
一方、出力先がリンクアグリゲーショングループを構成する無線伝送リンクでないと判定した場合、パケット転送処理部１２０は、当該パケットを送信する無線伝送リンクを決定し、決定した無線伝送リンクに応じた無線信号処理部（１４１〜１４３のいずれか）に直接出力する。そして、出力を受けた無線信号処理部が、当該パケットを無線信号にて送信する。
無線伝送システム１が、リンクアグリゲーションされた無線伝送リンクと、リンクアグリゲーションされていない無線伝送リンクとを併用する場合も同様である。
【００４３】
また、リンクアグリゲーションの適用の有無を切替可能な場合、パケットを受信した無線信号処理部２４１〜２４３は、当該無線信号処理部２４１〜２４３の無線伝送リンクがリンクアグリゲーショングループを構成するか否かを判定する。
そして、無線信号処理部２４１〜２４３は、無線伝送リンクがリンクアグリゲーショングループを構成すると判定した場合、当該パケットを信号識別部２３５に出力する。そして、以下、無線伝送装置２００は、図３に示す手順で処理を行う。一方、無線伝送リンクがリンクアグリゲーショングループを構成しないと判定した場合、無線信号処理部２４１〜２４３は、当該パケットをパケット転送処理部２２０に直接出力する。
無線伝送システム１が、リンクアグリゲーションされた無線伝送リンクと、リンクアグリゲーションされていない無線伝送リンクとを併用する場合も同様である。
【００４４】
次に、図２および図３を参照して、無線伝送システム１の動作について説明する。なお、以下では、無線伝送装置１００から無線伝送装置２００へとパケットを伝送する場合について説明する。逆方向の伝送についても同様とすることができる。
【００４５】
図２は、無線伝送装置１００が、送信するパケットに対して行う処理の手順を示すフローチャートである。無線伝送装置１００は、入出力ポート１１１〜１１３のいずれかがパケットを受信すると、同図の処理を開始する。
同図の処理において、まず、パケットを受信した入出力ポート１１１〜１１３は、当該パケットを、パケット転送処理部１２０を介して優先度識別部１３１に出力し、優先度識別部１３１は、当該パケットの優先度を解析して、当該パケットを高優先パケットと低優先パケットとのいずれかに分類する（ステップＳ１０１）。
具体的には、上述したように、優先度識別部１３１は、パケットのヘッダ情報から当該パケットの優先度を解析する。
【００４６】
次に、優先度識別部１３１は、ステップＳ１０１において、入出力ポート１１１〜１１３からのパケットを高優先パケットに分類したか否かを判定する（ステップＳ１０２）。
高優先パケットに分類したと判定した場合（ステップＳ１０２：ＹＥＳ）、優先度識別部１３１は、当該パケットを高優先パケット分配処理部１３２に出力し、高優先パケット分配処理部１３２は、当該パケットを無線伝送リンクＬ１〜Ｌ３のいずれかに分配する（ステップＳ１１１）。
【００４７】
具体的には、高優先パケット分配処理部１３２は、当該パケットを送信する無線伝送リンクを決定（無線伝送リンクＬ１〜Ｌ３から選択）して、決定した無線伝送リンクに応じた無線信号処理部（１４１〜１４３のいずれか）に当該パケットを出力する。
例えば、上述したように、高優先パケット分配処理部１３２は、パケットのヘッダフィールドの値にハッシュ関数を適用して無線伝送リンクを選択する。あるいは、上述したように、高優先パケット分配処理部１３２が、無線伝送リンクＬ１〜Ｌ３のうち、最も状態のよい（例えば、受信信号レベルが最も高い）無線伝送リンクを選択するようにしてもよい。
【００４８】
そして、高優先パケット分配処理部１３２は、無線信号処理部１４１〜１４３のうちステップＳ１１１で選択した無線伝送リンクに応じた無線信号処理部に、当該パケットを出力し、パケットの出力を受けた無線信号処理部（１４１〜１４３のいずれか）が、当該パケットを無線送信する（ステップＳ１１２）。
その後、同図の処理を終了する。
【００４９】
一方、ステップＳ１０２において、低優先パケットに分類したと判定した場合（ステップＳ１０２：ＮＯ）、優先度識別部１３１は、当該パケットをセル化処理部１３３に出力し、セル化処理部１３３は、当該パケットの通信データ（ペイロードのデータ）を所定のデータ長（セルに格納可能なデータの長さ）を有する複数のデータに分割する（ステップＳ１２１）。
【００５０】
そして、セル化処理部１３３は、ステップＳ１２１で分割された各データに、ヘッダ（Header）や、必要に応じてトレーラ（Trailer：データの後部に付ける）等を付与（結合ないし挿入）して、セルを生成する（ステップＳ１２２）。
その際、上述したように、セル化処理部１３３は、セルから元のパケットを再現する際に必要な情報としてシーケンス番号のついたヘッダを付与する。また、セル化処理部１３３は、先頭のセル（分割前の通信データの先頭部分を積載しているセル）のヘッダに、先頭であることを示す識別子を含める。また、セル化処理部１３３は、最後尾のセル（分割前の通信データの末尾部分を積載しているセル）のヘッダに、最後尾であることを示す識別子を含める。
【００５１】
次に、セル化処理部１３３は、ステップＳ１２２で生成した各セルを、無線伝送リンクＬ１〜Ｌ３のいずれかに分配する（ステップＳ１２３）。
具体的には、セル化処理部１３３は、各セルを送信する無線伝送リンクを決定（無線伝送リンクＬ１〜Ｌ３から選択）して、決定した無線伝送リンクに応じた無線信号処理部（１４１〜１４３のいずれか）に当該セルを出力する。
例えば、上述したように、セル化処理部１３３は、無線帯域制御部１３７が測定した各無線伝送リンクの利用可能帯域（伝送速度）に従って、セルを分配する。
【００５２】
そして、セル化処理部１３３は、各セルを、無線信号処理部１４１〜１４３のうちステップＳ１２３で選択した無線伝送リンクに応じた無線信号処理部に出力し、セルの出力を受けた無線信号処理部（１４１〜１４３のいずれか）が、当該セルを無線送信する（ステップＳ１２４）。
その後、同図の処理を終了する。
【００５３】
図３は、無線伝送装置２００が、受信したパケットに対して行う処理の手順を示すフローチャートである。無線伝送装置２００は、無線信号処理部２４１〜２４３のいずれかがパケット（高優先パケットまたはセル）を受信すると、同図の処理を開始する。
同図の処理において、まず、パケットを受信した無線信号処理部２４１〜２４３は、当該パケットを信号識別部２３５に出力し、信号識別部２３５は、当該パケットの優先度を解析する（ステップＳ２０１）。
【００５４】
そして、信号識別部２３５は、ステップＳ２０１での解析結果に基づいて、当該パケットが、高優先パケットであるか、低優先パケットの分割されたセルであるかを判定する（ステップＳ２０２）。
高優先パケットであると判定した場合（ステップＳ２０２：ＹＥＳ）、信号識別部２３５は、当該パケットをパケット転送処理部２２０に出力し、パケット転送処理部２２０は、当該パケットの出力先を入出力ポート２１１〜２１３のいずれかに決定（選択）する（ステップＳ２１１）。
例えば、上述したように、パケット転送処理部２２０は、当該パケットの宛先情報やＱｏＳ情報に基づいて、入出力ポート２１１〜２１３のいずれかを選択する。
【００５５】
そして、パケット転送処理部２２０は、ステップＳ２１１にて選択した入出力ポート（２１１〜２１３のいずれか）に、信号識別部２３５からのパケット（高優先パケット）を出力し、当該パケットの出力を受けた入出力ポート（２１１〜２１３のいずれか）は、当該パケットを出力（送信）する（ステップＳ２１２）。
その後、同図の処理を終了する。
【００５６】
一方、ステップＳ２０２において、低優先パケットの分割されたセルであると判定した場合（ステップＳ２０２：ＮＯ）、信号識別部２３５は、当該セルをパケット組立処理部２３６に出力し、パケット組立処理部２３６は、当該セルを用いて分割前のパケットを復元（組立）する（ステップＳ２２１）。
具体的には、上述したように、パケット組立処理部２３６は、信号識別部２３５からのセルをバッファに一旦格納し、セルに付与されているヘッダ情報に基づいて、分割前のパケットを復元する。
【００５７】
そして、パケット組立処理部２３６は、パケットが完成したか否か、すなわち、パケットから分割されたセルを全て取得してステップＳ２２１の処理を行ったか否かを判定する（ステップＳ２２２）。
パケットが完成したと判定した場合（ステップＳ２２２：ＹＥＳ）、パケット組立処理部２３６は、当該パケットをパケット転送処理部２２０に出力し、パケット転送処理部２２０は、当該パケットの出力先を入出力ポート２１１〜２１３のいずれかに決定（選択）する（ステップＳ２３１）。
例えば、ステップＳ２１１と同様、パケット転送処理部２２０は、当該パケットの宛先情報やＱｏＳ情報に基づいて、入出力ポート２１１〜２１３のいずれかを選択する。
【００５８】
そして、パケット転送処理部２２０は、ステップＳ２２３にて選択した入出力ポート（２１１〜２１３のいずれか）に、パケット組立処理部２３６からのパケット（低優先パケット）を出力し、当該パケットの出力を受けた入出力ポート（２１１〜２１３のいずれか）は、当該パケットを出力（送信）する（ステップＳ２３２）。
その後、同図の処理を終了する。
一方、ステップＳ２２２において、パケットが完成していない判定した場合（ステップＳ２２２：ＮＯ）、同図の処理を終了する。この場合、パケット組立処理部２３６は、更なるセルの取得を待って、引き続きパケットの復元処理（ステップＳ２２１）を行う。
【００５９】
以上のように、無線伝送装置１００において、入出力ポート１１１〜１１３がパケットを取得すると、優先度識別部１３１が、当該パケットの優先度を識別して高優先パケットと低優先パケットとに分類する。そして、高優先パケットについては、そのまま（セル分割を行わずに）無線信号処理部１４１〜１４３が送信する。一方、低優先パケットについては、セル化処理部１３３がセルに分割し、当該セルを無線信号処理部１４１〜１４３が送信する。
【００６０】
低優先パケットをセルに分割して送信することで、無線伝送装置１００は、無線伝送リンクに空き（無線伝送リンクを通信に使用しない状態）を作らずに送信することができる、あるいは、無線伝送リンクに生じる空きを小さくすることができる。この点で、無線伝送装置１００は、帯域を効率よく利用することができる。
また、高優先パケットをそのまま（セル分割を行わずに）送信することで、無線伝送装置１００は、高優先パケットを、より高速に送信することができる。この点で、無線伝送装置１００は、高速通信の要求を、より満足させることができる。
【００６１】
また、無線信号処理部１４１〜１４３は、適応変調にてパケットの無線送信を行う。従って、無線伝送リンクの状態がよい場合、無線伝送装置１００は、より高速に通信を行うことができる。一方、無線伝送リンクの状態が劣化した場合でも、無線伝送装置１００は、通信を継続することができる。
【００６２】
また、セル化処理部１３３は、セルを送信する無線伝送リンクを、各無線伝送リンクの通信速度に応じて選択する。従って、無線伝送装置１００は、無線伝送リンクに空きを作らずに送信することができる、あるいは、無線伝送リンクに生じる空きを小さくすることができる。この点で、無線伝送装置１００は、帯域を効率よく利用することができる。
【００６３】
ここで、ＩＥＥＥ８０２．３ａｄでは、物理リンク選択のルールは規定されていない。従って、ＩＥＥＥ８０２．３ａｄに従った通信において、物理リンクの選択ルールや、入力されるトラヒックよっては、複数の物理リンクを使用可能であっても、ある特定のリンクに偏って転送されてしまうおそれがある。さらに物理リンクの帯域（単位時間あたりに通信可能な容量）を越えてしまった場合、他の物理リンクの帯域を利用可能であっても、通信データを送信できずに廃棄してしまうおそれがある。このように、複数の物理リンクを束ねていても、その帯域を有効利用することができないおそれがあった。
これに対して、無線伝送装置１００は、セルを送信する無線伝送リンクを、各無線伝送リンクの通信速度に応じて選択することで、使用する無線伝送リンクの偏りを防止し、帯域を効率よく利用することができる。
【００６４】
また、高優先パケット分配処理部１３２は、高優先パケットを送信する無線伝送リンクとして、無線伝送リンクＬ１〜Ｌ３のうち最も状態のよい無線伝送リンクを選択する。
従って、無線信号処理部１４１〜１４３が、適応変調を用いて通信を行う場合、高優先パケット分配処理部１３２が、最も状態のよい無線伝送リンクを選択することで、伝送速度の速い無線伝送リンクを選択することができ、無線伝送システム１は、当該パケット（高優先パケット）を、より高速に伝送することができる。
【００６５】
また、無線信号処理部１４１〜１４３が、適応変調を用いずに通信を行う場合、高優先パケット分配処理部１３２が、最も状態のよい無線伝送リンクを選択することで、無線伝送システム１は、当該パケットの通信誤りを低減させることができる。従って、無線伝送システム１は、当該パケット（高優先パケット）を、より正確に伝送することができる。
また、伝送誤りを低減することで再送信を抑制できるので、無線伝送システム１は、当該パケット（高優先パケット）を、より高速に伝送することができる。
【００６６】
また、無線伝送装置２００において、無線信号処理部２４１〜２４３がパケットを受信すると、信号識別部２３５が、当該パケットが高優先パケットか低優先パケットかを判定する。そして、高優先パケットについては、そのまま（セル分割に対する復元処理を行わずに）入出力ポート２１１〜２１３から送信する。一方、セルについては、パケット組立処理部２３６が、セル分割に対する復元処理を行い、復元されたパケットを入出力ポート２１１〜２１３から送信する。
【００６７】
高優先パケットをそのまま（セル分割に対する復元処理を行わずに）送信することで、無線伝送装置２００は、高優先パケットを、より高速に送信することができる。この点で、無線伝送装置２００は、高速通信の要求を、より満足させることができる。
また、セルから低優先パケットを復元することで、無線伝送装置２００は、セル分割にて帯域を効率よく利用して送信された低優先パケットを受信することができる。従って、無線伝送システム１は、帯域を効率よく利用することができる。
【００６８】
次に、図４および図５を参照して、無線伝送装置１００および２００における本発明の最小構成について説明する。
図４は、図１に示した各部のうち、無線伝送装置１００における本発明の最小構成を示す概略ブロック図である。同図において、図１に示した無線伝送装置１００の各部のうち、入出力ポート１１１〜１１３と、優先度識別部１３１と、高優先パケット分配処理部１３２と、セル化処理部１３３と、無線信号処理部１４１〜１４３とが示されている。
【００６９】
この構成において、図１に示した構成に基づいて上述したのと同様、入出力ポート１１１〜１１３がパケットを受信すると、パケット転送処理部１２０が、当該パケットを高優先パケットと低優先パケットとのいずれかに分類する。
そして、高優先パケットについては、高優先パケット分配処理部１３２が、送信する無線伝送リンクを決定し、無線信号処理部１４１〜１４３が、当該無線伝送リンクにてパケットを送信する。一方、低優先パケットについては、セル化処理部１３３がセルに分割して各セルを送信するリンクを決定し、無線信号処理部１４１〜１４３が、当該無線伝送リンクにてセルを送信する。
【００７０】
低優先パケットをセルに分割して送信することで、無線伝送装置１００は、無線伝送リンクに空き（無線伝送リンクを通信に使用しない状態）を作らずに送信することができる、あるいは、無線伝送リンクに生じる空きを小さくすることができる。この点で、無線伝送装置１００は、帯域を効率よく利用することができる。
また、高優先パケットをそのまま（セル分割を行わずに）送信することで、無線伝送装置１００は、高優先パケットを、より高速に送信することができる。この点で、無線伝送装置１００は、高速通信の要求を、より満足させることができる。
【００７１】
図５は、図１に示した各部のうち、無線伝送装置２００における本発明の最小構成を示す概略ブロック図である。同図において、図１に示した無線伝送装置２００の各部のうち、入出力ポート２１１〜２１３と、信号識別部２３５と、パケット組立処理部２３６と、無線信号処理部２４１〜２４３とが示されている。
【００７２】
この構成において、図１に示した構成に基づいて上述したのと同様、無線信号処理部２４１〜２４３がパケットを受信すると、信号識別部２３５が、当該パケットが高優先パケットか、低優先パケットの分割されたセルかを判定する。
そして、高優先パケットについては、信号識別部２３５が、入出力ポート２１１〜２１３のいずれかに当該パケットを出力し、出力を受けた入出力ポート２１１〜２１３が、当該パケットを送信する。一方、セルについては、セル化処理部２３３が、当該セルに基づいて分割前のパケットを復元し、また、入出力ポート２１１〜２１３のいずれかに当該パケットを出力する。そして、出力を受けた入出力ポート２１１〜２１３が、当該パケットを送信する。
【００７３】
高優先パケットをそのまま（セル分割に対する復元処理を行わずに）送信することで、無線伝送装置２００は、高優先パケットを、より高速に送信することができる。この点で、無線伝送装置２００は、高速通信の要求を、より満足させることができる。
また、セルから低優先パケットを復元することで、無線伝送装置２００は、セル分割にて帯域を効率よく利用して送信された低優先パケットを受信することができる。従って、無線伝送システム１は、帯域を効率よく利用することができる。
【００７４】
なお、無線伝送装置１００および２００の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
また上記プログラムは、前述した機能の一部を実現するためのものであっても良く、さらに前述した機能をコンピュータシステムにすでに記録されているプログラムとの組み合わせで実現できるものであっても良い。
【００７５】
以上、本発明の実施形態について図面を参照して詳述してきたが、具体的な構成はこの実施形態に限られるものではなく、この発明の要旨を逸脱しない範囲の設計変更等も含まれる。
【００７６】
上記の実施形態の一部または全部は、以下の付記のようにも記載され得るが、以下には限られない。
【００７７】
（付記１）パケットを取得するパケット取得部と、前記パケット取得部が取得したパケットの優先度を識別して高優先パケットと低優先パケットとに分類する優先度識別部と、使用可能な複数の無線伝送リンクのうち、前記高優先パケットを送信する無線伝送リンクを選択する高優先パケット分配処理部と、前記低優先パケットを、固定長のパケットであるセルに分割し、前記使用可能な複数の無線伝送リンクのうち、各セルを送信する無線伝送リンクを選択するセル化処理部と、前記高優先パケット分配処理部が決定した前記無線伝送リンクにて前記高優先パケットを無線送信し、前記セル化処理部が決定した前記無線伝送リンクにて前記セルを無線送信する無線送信部と、を具備することを特徴とする無線伝送装置。
【００７８】
（付記２）前記無線送信部は適応変調にてパケットの無線送信を行うことを特徴とする付記１に記載の無線伝送装置。
【００７９】
（付記３）前記セル化処理部は、前記セルを送信する無線伝送リンクを、各無線伝送リンクの通信速度に応じて選択する、ことを特徴とする付記２に記載の無線伝送装置。
【００８０】
（付記４）前記高優先パケット分配処理部は、前記高優先パケットを送信する無線伝送リンクとして、前記使用可能な複数の無線伝送リンクのうち、最も状態のよい無線伝送リンクを選択する、ことを特徴とする付記１から３のいずれか一つに記載の無線伝送装置。
【００８１】
（付記５）パケットを受信する無線受信部と、前記無線受信部が受信したパケットが、高優先パケットか、低優先パケットの分割されたセルかを判定する信号識別部と、前記信号識別部が低優先パケットと判定したパケットに基づいて、セルへの分割前のパケットを復元するパケット組立処理部と、前記高優先パケットと、前記パケット組立処理部が復元したパケットとを出力するパケット出力部と、を具備することを特徴とする無線伝送装置。
【００８２】
（付記６）パケットを無線送信する第１無線伝送装置と、前記第１無線伝送装置が送信したパケットを受信する第２無線伝送装置とを具備し、前記第１無線伝送装置は、パケットを取得するパケット取得部と、前記パケット取得部が取得したパケットの優先度を識別して高優先パケットと低優先パケットとに分類する優先度識別部と、使用可能な複数の無線伝送リンクのうち、前記高優先パケットを送信する無線伝送リンクを選択する高優先パケット分配処理部と、前記低優先パケットを、固定長のパケットであるセルに分割し、前記使用可能な複数の無線伝送リンクのうち、各セルを送信する無線伝送リンクを選択するセル化処理部と、前記高優先パケット分配処理部が決定した前記無線伝送リンクにて前記高優先パケットを無線送信し、前記セル化処理部が決定した前記無線伝送リンクにて前記セルを無線送信する無線送信部と、を具備し、前記第２無線伝送装置は、パケットを受信する無線受信部と、前記無線受信部が受信したパケットが、高優先パケットか、低優先パケットの分割されたセルかを判定する信号識別部と、前記信号識別部が低優先パケットと判定したパケットに基づいて、セルへの分割前のパケットを復元するパケット組立処理部と、前記高優先パケットと、前記パケット組立処理部が復元したパケットとを出力するパケット出力部と、を具備することを特徴とする無線伝送システム。
【００８３】
（付記７）無線伝送装置の送信方法であって、パケットを取得するパケット取得ステップと、前記パケット取得ステップにて取得したパケットの優先度を識別して高優先パケットと低優先パケットとに分類する優先度識別ステップと、使用可能な複数の無線伝送リンクのうち、前記高優先パケットを送信する無線伝送リンクを選択する高優先パケット分配処理ステップと、前記低優先パケットを、固定長のパケットであるセルに分割し、前記使用可能な複数の無線伝送リンクのうち、各セルを送信する無線伝送リンクを選択するセル化処理ステップと、前記高優先パケット分配処理ステップで決定した前記無線伝送リンクにて前記高優先パケットを無線送信し、また、前記セル化処理ステップで決定した前記無線伝送リンクにて前記セルを無線送信する無線送信ステップと、を具備することを特徴とする送信方法。
【００８４】
（付記８）無線伝送装置の受信方法であって、パケットを受信する無線受信ステップと、前記無線受信ステップで受信したパケットが、高優先パケットか、低優先パケットの分割されたセルかを判定する信号識別ステップと、前記信号識別ステップで低優先パケットと判定したパケットに基づいて、セルへの分割前のパケットを復元するパケット組立処理ステップと、前記高優先パケット、または、前記パケット組立処理ステップで復元したパケットの少なくともいずれかを出力するパケット出力ステップと、を具備することを特徴とする受信方法。
【００８５】
（付記９）無線伝送装置を制御するコンピュータに、パケットを取得するパケット取得ステップと、前記パケット取得ステップにて取得したパケットの優先度を識別して高優先パケットと低優先パケットとに分類する優先度識別ステップと、使用可能な複数の無線伝送リンクのうち、前記高優先パケットを送信する無線伝送リンクを選択する高優先パケット分配処理ステップと、前記低優先パケットを、固定長のパケットであるセルに分割し、前記使用可能な複数の無線伝送リンクのうち、各セルを送信する無線伝送リンクを選択するセル化処理ステップと、前記高優先パケット分配処理ステップで決定した前記無線伝送リンクにて前記高優先パケットを無線送信し、また、前記セル化処理ステップで決定した前記無線伝送リンクにて前記セルを無線送信する無線送信ステップと、を実行させるためのプログラム。
【００８６】
（付記１０）無線伝送装置を制御するコンピュータに、パケットを受信する無線受信ステップと、前記無線受信ステップで受信したパケットが、高優先パケットか、低優先パケットの分割されたセルかを判定する信号識別ステップと、前記信号識別ステップで低優先パケットと判定したパケットに基づいて、セルへの分割前のパケットを復元するパケット組立処理ステップと、前記高優先パケット、または、前記パケット組立処理ステップで復元したパケットの少なくともいずれかを出力するパケット出力ステップと、を実行させるためのプログラム。
【産業上の利用可能性】
【００８７】
本発明によれば、帯域を効率よく利用することができ、かつ、高速通信の要求を、より満足させることができる。
【符号の説明】
【００８８】
１  無線伝送システム
１００、２００  無線伝送装置
１１１〜１１３、２１１〜２１３  入出力ポート
１２０、２２０  パケット転送処理部
１３０、２３０  リンクアグリゲーション制御部
１３１、２３１  優先度識別部
１３２、２３２  高優先パケット分配処理部
１３３、２３３  セル化処理部
１３４、２３４  帯域計算部
１３５、２３５  信号識別部
１３６、２３６  パケット組立処理部
１３７、２３７  無線帯域制御部
１４１〜１４３、２４１〜２４３  無線信号処理部
１５１〜１５３、２５１〜２５３  アンテナ
【図１】
0005871016.tif 000002
【図２】
0005871016.tif 000003
【図３】
0005871016.tif 000004
【図４】
0005871016.tif 000005
【図５】
0005871016.tif 000006